(57)【特許請求の範囲】
【請求項１】
配線板の裏側から表側に貫通し、表側に貫通した先端に指針が連結される指針軸と、前記配線板の表側に固定される表側ユニットケース内に、ステッピングモータの要素であるコイルとヨークよりなるステータを内装した表側ユニットと、前記配線板の裏側に固定される裏側ユニットケース内に、ステッピングモータの要素であり前記ステータからの磁力を受けて回転するロータと該ロータの回転を前記指針軸に伝達するギヤ列を内装した裏側ユニットと、を備え、前記コイルの端子が前記配線板に半田付けされる指針計器用の駆動装置であって、
前記裏側ユニットケースに、前記配線板の裏側から表側に突出し、内部に前記ロータを収容したロータ収容突出部が設けられ、前記表側ユニットケースに、前記ロータ収容突出部が内周に密接嵌合される嵌合筒壁が設けられ、前記嵌合筒壁の周囲に前記ヨークが配置されると共に、該嵌合筒壁に形成した開口から、前記ヨークの磁極が、前記ロータ収容突出部内に収容されたロータの外周に向けて突出していることを特徴とする指針計器用の駆動装置。
【請求項２】
請求項１に記載の指針計器用の駆動装置であって、
前記ロータ収容突出部の周壁の外面に、前記嵌合筒壁の開口から突出した前記ヨークの磁極の嵌まる凹部が設けられており、該凹部の薄肉の底壁を介して、前記ヨークの磁極の先端と前記ロータのマグネットとが対峙していることを特徴とする指針計器用の駆動装置。
【発明の詳細な説明】
【技術分野】
【０００１】
本発明は、車両等に搭載される指針計器用の駆動装置に関するものである。
【背景技術】
【０００２】
この種の指針計器用の駆動装置（ムーブメント）として、例えば、特許文献１に記載のものが知られている。この駆動装置は、配線板を貫通する指針軸と、コイル、ヨーク、ロータを備えたステッピングモータと、ロータの回転を指針軸に伝えるギヤ列とを有し、ヨークの両端の磁極の間にロータが位置するように、ヨークを配線板に固定したものである。
【特許文献１】特開２００１−１９４１９０号公報
【発明の開示】
【発明が解決しようとする課題】
【０００３】
ところで、特許文献１に記載の駆動装置では、ヨークの磁極がロータの外周に不安定な状態で対峙しているので（つまり、ヨークの他の部分が配線板に固定され、磁極部分が浮いた状態でロータに対峙しているので）、磁極とロータの位置決め精度を高くできない上、磁極とロータ間の磁気ギャップを小さくできない可能性がある。そのため、駆動性能をあまり高くできず、場合によっては、指針作動にむらが出るおそれもある。また、ヨークを直接ロータに対峙させているので、ギヤ列を収納する空間の密閉性が悪くなり、異物の侵入によりギヤ列の回転作動に支障を来す可能性もある。
【０００４】
本発明は、上記事情を考慮し、ヨークの磁極とロータの間の位置決め精度を高く維持することができると共に、磁極とロータ間の磁気ギャップを小さくすることができて、それにより駆動性能の向上を図ることができ、また、ギヤ列への異物の侵入を完全に遮断することができて、安定した作動を保証することのできる指針計器用の駆動装置を提供することを目的とする。
【課題を解決するための手段】
【０００５】
請求項１の発明は、配線板の裏側から表側に貫通し、表側に貫通した先端に指針が連結される指針軸と、前記配線板の表側に固定される表側ユニットケース内に、ステッピングモータの要素であるコイルとヨークよりなるステータを内装した表側ユニットと、前記配線板の裏側に固定される裏側ユニットケース内に、ステッピングモータの要素であり前記ステータからの磁力を受けて回転するロータと該ロータの回転を前記指針軸に伝達するギヤ列を内装した裏側ユニットと、を備え、前記コイルの端子が前記配線板に半田付けされる指針計器用の駆動装置であって、前記裏側ユニットケースに、前記配線板の裏側から表側に突出し、内部に前記ロータを収容したロータ収容突出部が設けられ、前記表側ユニットケースに、前記ロータ収容突出部が内周に密接嵌合される嵌合筒壁が設けられ、前記嵌合筒壁の周囲に前記ヨークが配置されると共に、該嵌合筒壁に形成した開口から、前記ヨークの磁極が、前記ロータ収容突出部内に収容されたロータの外周に向けて突出していることを特徴とする。
【０００６】
請求項２の発明は、請求項１に記載の指針計器用の駆動装置であって、前記ロータ収容突出部の周壁の外面に、前記嵌合筒壁の開口から突出した前記ヨークの磁極の嵌まる凹部が設けられており、該凹部の薄肉の底壁を介して、前記ヨークの磁極の先端と前記ロータのマグネットとが対峙していることを特徴とする。
【発明の効果】
【０００７】
請求項１の発明によれば、裏側ユニットケースに設けたロータ収容突出部を表側ユニットケースに設けた嵌合筒壁の内周に密接嵌合させることにより、ロータ収容突出部内のロータと嵌合筒壁の周囲に設けたヨークとの位置関係を安定的に決めることができる。その場合、ヨークの磁極は、嵌合筒壁に形成した開口から、ロータ収容突出部内のロータの外周に向けて突出しているので、磁極とロータの位置関係を正確に決めることができると共に、磁極とロータ間の磁気ギャップをできるだけ小さくすることができる。従って、それによりステッピングモータの駆動性能を高めることができ、指針計器用の駆動装置としての性能向上を図ることができる。
【０００８】
また、ロータの全体を含めてギヤ列を裏側ユニットケース内に収めているので、ギヤ列への異物の侵入を完全に遮断することができ、作動の安定を保証することができる。
【０００９】
また、配線板に半田付けする必要のあるコイルは表側ユニットに配設し、熱に弱い合成樹脂で主に作製されるギヤ列は裏側ユニットに配設しているので、表側ユニットを先に配線板に取り付けてコイルの端子を半田付けし、半田付けに伴う温度が低下した後で、裏側ユニットを配線板に取り付けることにより、熱に弱いギヤ列に半田付けに伴う熱の影響を与えずに組み立てを行うことができる。
【００１０】
請求項２の発明によれば、嵌合筒壁の開口から突出したヨークの磁極を、ロータ収容突出部の周壁の外面に形成した凹部に嵌め込んでいるので、ロータ収容突出部内のロータに対するヨークの磁極の位置決め精度を更に高めることができる。また、凹部の薄肉の底壁を介して、磁極の先端とロータの外周を対峙させているので、磁気ギャップを更に小さくすることができ、駆動性能の一層の向上を図ることが可能になる。
【発明を実施するための最良の形態】
【００１１】
以下、本発明の実施形態を図面を参照して説明する。
【００１２】
図１は実施形態の指針計器用の駆動装置の側面図、図２は図１のＩＩ−ＩＩ矢視図、図３は図２のＩＩＩ−ＩＩＩ矢視断面図、図４は表側ユニットケースの構成を配線板側から見て示す分解斜視図、図５は表側ユニットケースの構成を図４と反対側から見て示す分解斜視図、図６は裏側ユニットケースの構成を配線板側から見て示す分解斜視図、図７は裏側ユニットケースの構成を図６と反対側から見て示す分解斜視図、図８は表側ユニットの一部ケースを破断した正面図、図９は裏側ユニットの一部ケースを破断した正面図、図１０は表側ユニットの内部構成を示す正面図及びその部分拡大図、図１１は表側ユニットの内部構成を示す分解斜視図である。
【００１３】
＜全体の概略構成＞
この指針計器用の駆動装置は、図１、図２にに示すように、図示略の目盛板の背後に該目盛板と略平行に配設される配線板１０と、この配線板１０の裏側から表側に貫通し、表側に貫通した先端に指針（図示略）が連結される指針軸１と、配線板１０の表側に固定される表側ユニット１００と、配線板１０の裏側に固定される裏側ユニット２００と、からなる。
【００１４】
図３に示すように、表側ユニット１００は、表側ユニットケースＡ内に、ステッピングモータＭの要素であるコイル４００とヨーク３００よりなるステータＳを密閉状態で内装したもの、また、裏側ユニット２００は、裏側ユニットケースＢ内に、ステッピングモータＭの要素でありステータＳからの磁力を受けて回転するロータ５００と該ロータ５００の回転を指針軸１に伝達するギヤ列Ｇを密閉状態で内装したものである。
【００１５】
＜配線板の構成＞
表側ユニット１００と裏側ユニット２００の間に挟まれた形になる配線板１０には、後述する裏側ユニットケースＢのロータ収容突出部２５０を配線板１０の表側に突出させるための円形の開口１１と、裏側ユニットケースＢの指針軸保持ボス部２６０を配線板１０の表側に突出させるための貫通孔１２と、表側ユニットケースＡを配線板１０に固定するための係止孔１３と、裏側ユニットケースＢを配線板１０に固定するための係止孔１４とが設けられている。
【００１６】
以下、表側ユニット１００と裏側ユニット２００を順番に説明する。
【００１７】
＜表側ユニットケース＞
表側ユニット１００の主要素である表側ユニットケースＡは、配線板１０側の第１ケースＡ１と、反対側の第２ケースＡ２を合体することで構成されている。
【００１８】
＜第１ケース＞
図４、図５に示すように、第１ケースＡ１は、三角形の３つの角を面取したような形状の主面板１１１と、該主面板１１１の周縁部に起立形成された周壁１１２と、該周壁１１２の前記面取部分に設けられた切欠１１３（後述するコイル４００の端子板４０２を嵌める部分）と、第２ケースＡ２と合体するために周壁１１２の外面に設けられた係止爪１１４と、表側ユニット１００を配線板１０に固定するために主面板１１１の外面に突設された係止突起１１５と、後述するヨーク３００の位置決め用のピン３６０の一方の端部を保持するピン保持穴１１６と、前記主面板１１１の中央より切欠１１３のない面取部分側に寄せた位置に設けられた円形貫通孔の周縁に起立形成された円筒状の嵌合筒壁１２０と、を有している。
【００１９】
嵌合筒壁１２０は、主面板１１１の外面側と内面側にそれぞれ突出した形で設けられており、外面側に突出した外方突出壁１２１は、配線板１０の円形の開口１１に嵌合するインロー部としての役目を果たす。また、内面側に突出した内方突出壁１２２の先端には、該先端に、後述する第２ケースＡ２の嵌合筒壁１５０の先端を突き合わせたときに開口１２３を形成する矩形の切欠（開口と同符号１２３を付す）が設けられている。
【００２０】
この切欠１２３は、周方向に４５°間隔で合計８個設けられている。これらの切欠１２３は、後述するヨーク３００の８個の磁極３０２が嵌まる部分である。
【００２１】
また、第１ケースＡ１の主面板１１１の内面側には、２つのコイル４００（後述）を配置するためのコイルスペース１３０が設けられている。２つのコイルスペース１３０は、嵌合筒壁１２０の中心を基準として９０°開いた位置関係で設けられており、各一端側が嵌合筒壁１２０の１つの切欠１２３に臨み、各他端側が周壁１１２の面取部に設けた切欠１１３に臨んでいる。
【００２２】
＜第２ケース＞
一方、第２ケースＡ２は、全体が第１ケースＡ１に対応する形状をなしており、三角形の３つの角を面取したような形状の主面板１４１と、該主面板１４１の周縁部に起立形成された周壁１４２と、該周壁１４２の前記面取部分に前記第１ケースＡ側の切欠１１３に嵌まるように設けられた突片１４３（第１ケースＡ側の切欠１１３に嵌ったコイル４００の端子板４０２を押えると共に、切欠１１３を塞ぐ役目を果たす部分）と、第１ケースＡ１と合体するために周壁１４２の先端に突設された複数の係止枠１４４と、ヨーク３００の位置決め用のピン３６０の他方の端部を保持するピン保持穴１４５と、コイル４００及びヨーク３００を収容した状態で第１ケースＡと合わせたときに、コイル４００やステータ３００をガタつかないように押える押圧壁１４６と、後述するコイル４００の端子ピン頭部４１０を位置決め保持する端子ピン頭部保持穴１４７と、前記主面板１４１上の円形貫通孔の周縁に前記第１ケースＡ１側の嵌合筒壁１２０と対応するように設けられた嵌合筒壁１５０と、を有する。
【００２３】
第２ケースＡ２の嵌合筒壁１５０は、主面板１４１の内面側にのみ突出しており、その先端を、第１ケースＡ１の嵌合筒壁１２０の先端に突き合わせることで、第１ケースＡ１側の切欠１２３の開放部を塞いで、ヨーク３００の磁極３０２の嵌まる矩形の開口１２３を形成する。また、その状態で、両ケースＡ１、Ａ２の嵌合筒壁１２０、１５０の内周面は滑らかに連続するようになっている。
【００２４】
図３、図８〜図１１に示すように、このように構成された第１ケースＡ１と第２ケースＡ２を合体して構成される表側ユニットケースＡの内部には、ヨーク３００とコイル４００よりなるステータＳが内蔵されている。
【００２５】
＜ヨーク＞
ヨーク３００は、図１１に示すように、第１ケースＡ１の嵌合筒壁１２０の周囲に配置された状態で第１ケースＡ１内に納まる積層板状のもので、連続した外周輪郭をなす外周枠部３０５と、第１ケースＡ１の嵌合筒壁１２０の外周に嵌まる円形孔３０１と、該円形孔３０１の内周縁に突設された内方に凸の周方向４５°間隔の８個の磁極３０２と、前記円形孔３０１の周縁から２本の溝を該円形孔３０１の放射方向にコイル収容部３２０として形成することで、一端に前記磁極３０２を有するように構成されたコイル支持軸部３１０と、第１ケースＡ１のピン保持穴１１６と第２ケースＡ２のピン保持穴１４５に両端が保持された位置決め用のピン３６０が貫通することで、ヨーク３００を表側ユニットケースＡに位置決めするピン貫通孔３４５と、を有している。
【００２６】
コイル支持軸部３１０は、円形孔３０１の中心を基準として９０°開いた位置関係で２本設けられおり、これらのコイル支持軸部３１０にコイル４００の中空部を嵌めることで、コイル４００がヨーク３００に組み付けられている。また、８個の磁極３０２は、ヨーク３００を第１ケースＡ１内に位置決めすることで、嵌合筒壁１２０の先端の切欠１２３（開口１２３）に嵌まり、嵌った状態で、各磁極３０２の先端が、嵌合筒壁１２０の内周面より内方に一定寸法だけ突出するようになっている。
【００２７】
＜コイル＞
コイル４００は、樹脂製の中空ボビン４０１の外周に巻線４０５を巻いたもので、一端にボビン４０１の端板に垂直な端子板４０２を有し、その端子板４０２の先端から２本の端子４２０を突出させている。２本の端子４２０は、ボビン４０１にモールドされた端子ピンにより構成され、ボビン４１０の端子板４０２側の端板の上端から端子ピン頭部４１０が突出し、ここに巻線４０５の両端末が接合されている。端子板４０２から突出した２本の端子４２０の先端は、表側ユニット１００を配線板１０に組み付けた状態で配線板１０上の導体パターンに接触するようにＬ字形に曲げられている。
【００２８】
＜表側ユニットの組み立てと配線板への取り付け＞
図１０に示すように、上述したコイル４００の中空部を、ヨーク３００に形成した各コイル支持軸部３１０に嵌め込むことで、ステータＳが構成されており、そのステータＳを、第１ケースＡ１の主面板１１１の上に載置し、位置決め用のピン３６０でヨーク３００を位置決めした状態で、その上から第２ケースＡ２を被せて、第１ケースＡ１の係止爪１１４に第２ケースＡ２の係止枠１４４を係合させ、第１ケースＡ１と第２ケースＡ２を合体させることで、表側ユニット１００が構成されている。
【００２９】
この状態において、ヨーク３００に形成した８個の磁極３０２は、嵌合筒壁１２０、１５０の突き合わせ部に形成される８個の開口１２３（切欠１２３）にそれぞれ嵌まり、各磁極３０２の先端が、開口１２３から嵌合筒壁１２０の内部に一定寸法だけ突出した形になる。
【００３０】
また、コイル４００の端子板４０２は、第１ケースＡ１の周壁１１２の切欠１１３に嵌った状態で、第２ケースＡ２の突片１４３で押えられ、表側ユニットケースＡから端子４２０が外に突出した状態となる。
【００３１】
この表側ユニット１００は、第１ケースＡ１に設けた係止突起１１５を、配線板１０に設けた係止孔１３に差し込んで係合させることにより、配線板１０に固定されている。そして、その状態で嵌合筒壁１２０の外方突出壁１２１（インロー部としての役目を果たす部分）が、配線板１０の円形の開口１１の内周に嵌合することにより、配線板１０に対して嵌合筒壁１２０が正確に位置決めされている。
【００３２】
また、表側ユニットケースＡから外に出たコイル４００の端子４２０の先端は、配線板１０の表面側の導体パターンに接触した状態となる。そこで、半田付けにより、配線板１０に端子４２０を接合することで、表側ユニット１００と配線板１０の電気的な組み付けが完了する。
【００３３】
＜裏側ユニット＞
次に裏側ユニット２００について説明する。
【００３４】
裏側ユニット２００は、裏側ユニットケースＢ内に、ステッピングモータＭの要素であるロータ５００とロータ５００の回転を指針軸１に伝達するギヤ列Ｇとを密閉状態で内装したものである。
【００３５】
＜裏側ユニットケース＞
裏側ユニット２００の主要素である裏側ユニットケースＢは、配線板１０側の第１ケースＡ１と、反対側の第２ケースＡ２を合体することで構成されている。
【００３６】
＜第１ケース＞
図６、図７に示すように、第１ケースＢ１は、略長方形状の主面板２４１と、該主面板２４１の周縁部に起立形成された周壁２４２と、第２ケースＢ２と合体するために周壁２４２の外面に設けられた係止爪２４４と、裏側ユニット２００を配線板１０に固定するために周壁２４２に耳部を介して突設された係止突起２７０と、主面板２４１の外面に突設された円筒状のロータ収容突出部２５０と、このロータ収容突出部２５０と平行に主面板２４１の外面に突設された指針軸保持ボス部２６０と、を有している。
【００３７】
指針軸保持ボス部２６０の内部には指針軸挿入穴２６２が設けられ、指針軸保持ボス部２６０の先端には指針軸支持孔２６１が設けられている。
【００３８】
ロータ収容突出部２５０は、配線板１０に裏側ユニット２００を組み付けた段階で、配線板１０の開口１１を通して配線板１０の表側に突出し、表側ユニット１００の嵌合筒壁１２０、１５０の内周に密接嵌合する部分であり、先端が端壁２５１で塞がれた円筒キャップ状をなしている。
【００３９】
このロータ収容突出部２５０の円筒周壁の外面には、周壁の一部を部分的に薄肉化することにより、周方向に４５°間隔で８個の凹部２５２が設けられている。そして、これら凹部２５２に、前述した嵌合筒壁１２０、１５０の開口１２３から嵌合筒壁１２０、１５０の内方に突出したヨーク３００の磁極３０２が嵌まるようになっている。
【００４０】
このロータ収容突出部２５０の内部には、組立段階で、後述するロータ５００のマグネット５２５部分が収容されており、前記磁極３０２の先端がロータマグネット５２５に向けて突出し、凹部２５２の薄肉の底壁を介して、ロータマグネット２５２の外周に対峙するようになっている。
【００４１】
また、ロータ収容突出部２５０の端壁２５１の内面中心には、図３に示すように、ロータ５００の軸５１２の一端が嵌まるロータ軸保持穴２５５が設けられている。また、主面板２４１の内面には、ギヤ列Ｇの中間ギヤ５５０の軸５５２の一端が回転自在に嵌まる中間軸保持穴２６６が設けられている。
【００４２】
＜第２ケース＞
一方、第２ケースＢ２は、全体が第１ケースＢ１に対応する形状をなしており、略長方形状の主面板２１１と、該主面板２１１の周縁部に起立形成された周壁２１２と、第１ケースＢ１と合体するために周壁２１２に突設され係止枠２１４と、第１ケースＢ１の係止突起２７０の基部の係合穴２７１に嵌まる位置決めピン２１６と、ロータ５００の軸５１２の他端が回転自在に嵌まるよう主面板２１１の内面に形成されたロータ軸保持穴２２５と、中間ギヤ５５０の軸５５２の他端が嵌まる中間軸保持穴２２６と、指針軸１の基端を回転自在に支持するため主面板２１１に形成された軸受孔２２０と、該軸受孔２２０の周囲を補強する円筒ボス部２２１と、を有する。
【００４３】
図３及び図９に示すように、このように構成された第１ケースＢ１と第２ケースＢ２を合体して構成される表側ユニットケースＢには、指針軸１が組み付けられると共に、ロータ５００とギヤ列Ｇが内蔵されている。
【００４４】
＜ロータ＞
ロータ５００は、中心に金属製のロータ軸５２２を貫通配備した樹脂製のロータ本体５１１の一端外周にロータマグネット５２５を装着し、他端外周にピニオン５２７を形成したものである。
【００４５】
＜ギヤ列＞
ギヤ列Ｇは、ロータ本体５１１の外周に設けられた第１ピニオン５２７と、中間軸５５２に支持されて第１ピニオン５２７に噛み合う中間ギヤ５５０と、中間ギヤ５５０と一体に回転する第２ピニオン５５１と、指針軸１に一体回転するように設けられて第２ピニオン５５１に噛み合う最終ギヤ５７０と、からなる。
【００４６】
＜裏側ユニットの組み立てと配線板への取り付け＞
裏側ユニット２００を組み立てる場合は、図３に示すように、指針軸１の先端を、第１ケースＢ１の指針軸保持ボス部２６０の指針軸挿入孔２６１に挿入し、指針軸保持ボス部２６０の先端の指針軸支持孔２６１を通して外部に突出させる。
【００４７】
また、ロータ５００のロータマグネット５２５をロータ収容突出部２５０の内部に挿入し、ロータ軸５２２の一端をロータ軸保持穴２５５に差し込む。また、中間ギヤ５５０を支持する中間軸５５２の一端を中間軸保持穴２６６に差し込む。
【００４８】
この状態で、第１ケースＢ１に第２ケースＢ２を被せ、第１ケースＢ１の係止爪２４４に第２ケースＢ２の係止枠２１４を係合させて、第１ケースＢ１と第２ケースＢ２を合体させる。
【００４９】
その際、指針軸１の基端を、第２ケースＢ２の軸受孔２２０に嵌め、ロータ５００のロータ軸５２２の他端を第２ケースＢ２のロータ軸保持穴２２５に嵌め、中間ギヤ５５０の中間軸５５２の他端を第２ケースＢ２の中間軸保持穴２２６に嵌める。そうすることで、裏側ユニット２００が構成される。
【００５０】
この状態において、ロータ５００が回転すると、第１ピニオン５２７、中間ギヤ５５０、第２ピニオン５５１、最終ギヤ５７０を経由して、指針軸１に回転が伝わるようになる。また、ロータマグネット５２５が、ロータ収容突出部２５０の内部で、凹部２５２の薄肉の底壁の内周面に微小な隙間を保って回転できるよう保持される。
【００５１】
この裏側ユニット２００は、第１ケースＢ１に設けた係止突起２４５を、配線板１０に設けた係止孔１４に差し込んで係合させることにより、配線板１０に固定される。そして、その状態で嵌合筒壁１２０、１５０の内周に、ロータ収容突出部２５０の外周が密接に嵌合し、開口１２３から嵌合筒壁１２０、１５０の内方に突出したヨーク３００の磁極３０２の先端が、ロータ収容突出部２５０の凹部２５２に嵌まる。そして、ロータマグネット５２５の外周とヨーク３００の磁極３０２が、凹部２５２の薄肉の底壁を介して対峙することになる。
【００５２】
上述のように、この駆動装置によれば、裏側ユニットケースＢに設けたロータ収容突出部２５０を、表側ユニットケースＡに設けた嵌合筒壁１２０、１５０の内周に密接嵌合させることにより、ロータ収容突出部２５０内のロータ５００と嵌合筒壁１２０、１５０の周囲に設けたヨーク３００との位置関係を安定的に決めることができる。
【００５３】
その場合、ヨーク３００の磁極３０２は、嵌合筒壁１２０、１５０に形成した開口１２３から、ロータ収容突出部２５０内のロータマグネット５２５の外周に向けて突出しているので、磁極３０２とロータマグネット５２５の位置関係を正確に決めることができると共に、磁極３０２とロータマグネット５２５間の磁気ギャップをできるだけ小さくすることができる。
【００５４】
従って、ステッピングモータＭの駆動性能を高めることができ、指針計器用の駆動装置としての性能向上を図ることができる。
【００５５】
また、ロータ５００の全体を含めてギヤ列Ｇを裏側ユニットケースＢ内に収めているので、ギヤ列Ｇへの異物の侵入を完全に遮断することができ、作動の安定を保証することができる。
【００５６】
また、配線板１０に半田付けする必要のあるコイル４００は表側ユニット１００に配設し、熱に弱い合成樹脂で主に作製されるギヤ列Ｇは裏側ユニット２００に配設しているので、表側ユニット１００を先に配線板１０に取り付けてコイル４００の端子４２０を配線板１０に半田付けし、半田付けに伴う温度が低下した後で、裏側ユニット２００を配線板１０に取り付けることにより、熱に弱いギヤ列Ｇに半田付けに伴う熱の影響を与えずに組み立てを行うことができる。
【００５７】
また、嵌合筒壁１２０、１５０の開口１２３から突出したヨーク３００の磁極３０２を、ロータ収容突出部２５０の周壁の外面に形成した凹部２５２に嵌め込んでいるので、ロータ収容突出部２５０内のロータ５００に対するヨーク３００の磁極３０２の位置決め精度を更に高めることができる。
【００５８】
また、凹部２５２の薄肉の底壁を介して、磁極３０２の先端とロータマグネット５２５の外周を対峙させているので、磁気ギャップを更に小さくすることができ、駆動性能の一層の向上を図ることができる。
【００５９】
また、実施形態の駆動装置においては、板状のヨーク３００に円形孔３０１を設け、その円形孔３０１の内周に複数の磁極３０２を突設し、それら磁極３０２をロータマグネット５２５に対峙させるようにしているので、装置のコンパクト化が図れる。
【００６０】
また、板状のヨーク３００内にコイル収容部３２０を確保し、そのコイル収容部３２０に２つのコイル４００を収容しているので、装置のコンパクト化が図れる。
【図面の簡単な説明】
【００６１】
【図１】本発明の実施形態の指針計器用の駆動装置の外観構成を示す側面図でる。
【図２】図１のＩＩ−ＩＩ矢視図である。
【図３】図２のＩＩＩ−ＩＩＩ矢視断面図である。
【図４】表側ユニットケースの構成を配線板側から見て示す分解斜視図である。
【図５】表側ユニットケースの構成を図４と反対側から見て示す分解斜視図である。
【図６】裏側ユニットケースの構成を配線板側から見て示す分解斜視図である。
【図７】裏側ユニットケースの構成を図６と反対側から見て示す分解斜視図である。
【図８】表側ユニットの一部ケースを破断した正面図である。
【図９】裏側ユニットの一部ケースを破断した正面図である。
【図１０】表側ユニットの内部構成を示す正面図及びその部分拡大図である。
【図１１】表側ユニットの内部構成を示す分解斜視図である。
【符号の説明】
【００６２】
１  指針軸
１０  配線板
１００  表側ユニット
１２０，１５０  嵌合筒壁
１２３  開口
２００  裏側ユニット
２５０  ロータ収容突出部
２５２  凹部
３００  ヨーク
３０２  磁極
４００  コイル
４２０  端子
５００  ロータ
５２５  ロータマグネット
Ａ  表側ユニットケース
Ｂ  裏側ユニットケース
Ｍ  ステッピングモータ
Ｓ  ステータ
【図１】
0005002381.tif 000002
【図２】
0005002381.tif 000003
【図３】
0005002381.tif 000004
【図４】
0005002381.tif 000005
【図５】
0005002381.tif 000006
【図６】
0005002381.tif 000007
【図７】
0005002381.tif 000008
【図８】
0005002381.tif 000009
【図９】
0005002381.tif 000010
【図１０】
0005002381.tif 000011
【図１１】
0005002381.tif 000012